(57)【特許請求の範囲】
【請求項１】
光ファイバ心線を架空で相互接続する光ケーブル収容部を本体内部に装備した光ケーブル接続用クロージャであって、
前記本体内部に前記光ファイバ心線を多数心線に分岐する少なくとも２つのスプリッタモジュールを装備し、前記少なくとも２つのスプリッタモジュールは前段で分岐した１系統を次段に出力する構成とし、前記光ケーブル収容部から導出される少なくとも１つの光ファイバ心線は、前記光ケーブル収容部に入力される光ファイバ心線および前記少なくとも２つのスプリッタモジュールを経由するとともに、前記光ファイバ心線と前記各スプリッタモジュールおよび前記スプリッタモジュール相互がコネクタ接続されることを特徴とする光ケーブル接続用クロージャ。
【請求項２】
当該光ケーブル接続用クロージャが前記本体内部にトレイ収納ケースを備え、前記スプリッタモジュールは、前記トレイ収納ケースにスライド自在に取り付けられたスプリッタトレイに搭載されていることを特徴とする請求項１記載の光ケーブル接続用クロージャ。
【請求項３】
前記スプリッタモジュールが、前記スプリッタトレイ内の入力側または出力側のいずれかに近接して着脱自在に搭載されていることを特徴とする請求項２記載の光ケーブル接続用クロージャ。
【請求項４】
前記スプリッタモジュールが、前記スプリッタトレイの底板に対して回動支点を中心として回動可能に設けられ、前記スプリッタモジュールの回動によって自由端側が前記底板から離間可能に設けられていることを特徴とする請求項２または３記載の光ケーブル接続用クロージャ。
【請求項５】
作業者の指等を挿通させて前記スプリッタモジュールを前記底板から離間させるための貫通穴が前記底板に形成されていることを特徴とする請求項４記載の光ケーブル接続用クロージャ。
【請求項６】
前記スプリッタモジュールには、前記自由端側の端面にケーブル接続されるアダプタが設けられていることを特徴とする請求項４または５記載の光ケーブル接続用クロージャ。
【発明の詳細な説明】
【技術分野】
【０００１】
本発明は光ケーブル接続用クロージャに係り、例えば、光ファイバ心線を架空で相互接続する光ケーブル収容部を本体内部に装備した光ケーブル接続用クロージャに関するものである。
【背景技術】
【０００２】
最近のＰＯＮ（Passive Optical Network）は、１本の光ファイバをより多数のユーザで共有するために、スプリッタをユーザの近くで広範囲に分散配置している。すなわち、図８に示すように、このネットワーク１００では、例えば、通信事業者の設備センター１０１とＧＥ−ＰＯＮ（Gigabit Ethernet（登録商標）-Passive Optical Network）局１０３とを通信用光ファイバ１０２で接続して、ＧＥ−ＰＯＮ局１０３に装備した４分岐スプリッタ１０４により通信回線を４系統に分岐している。さらに４分岐スプリッタ１０４で分岐された通信回線は、光ケーブル１０５ａ、１０５ｂにより、ユーザ１０６ａ、１０６ｂ、１０６ｃ、・・・の近くに設置した架空のクロージャ１０８に装備の８分岐スプリッタ１０７に接続されて８系統に分岐した後、８分岐スプリッタ１０７とユーザ１０６ａ、１０６ｂ、１０６ｃ、・・・とをドロップ心線１０９でそれぞれ接続して光通信網を構築している。従って、８分岐スプリッタ１０７は、この例では、４箇所（図示は２箇所のみ）に設置したクロージャ１０８によって４系統に分散配置されている。
また、８分岐スプリッタ１０７において、８分岐スプリッタ１０７は、ユーザの有無にかかわらず先行配線されるのが一般的である。
【０００３】
図９には、前述したようなスプリッタを装備した従来構造の光ケーブル接続用クロージャが示してある（例えば、特許文献１参照）。
この特許文献１に記載の光ケーブル接続用クロージャ１１０では、下層トレイ１１１と上層トレイ１１２とを上下に分けて積み重ねたものからなるドロップ心線用トレイ１１３が、トレイ収納ケース１１４の差し込み棚に挿脱自在に配備されており、下層トレイ１１１並びに上層トレイ１１２は、不図示の複数枚の内装トレイをそれぞれに配備して、各内装トレイに、光ファイバ心線導出入部と、該心線導出入部から入る心線相互を接続したコネクタを収納するコネクタ収納部と、スプリッタ収納部と、心線余長を巻回して収納する心線余長収納部とを備える。
【特許文献１】特開２００３−２１５３５５号公報
【発明の開示】
【発明が解決しようとする課題】
【０００４】
ところで、上記のようなネットワーク１００では、８分岐スプリッタ１０７は通常ユーザの居住地区毎に互いに離れて先行配置されるために、ユーザ１０６がつかなかった場合に、この余剰心線を心線が足りない他地区へ振り向けることが難しいという問題があった。
また、ＧＥ−ＰＯＮ局１０３に設置される４分岐スプリッタ１０４とユーザ１０６ａ、１０６ｂ、１０６ｃ、・・・近くに設置される８分岐スプリッタ１０７とが離れているため、例えば、光ケーブルの断線事故等が発生した場合に、切り分け作業に基づいた障害点調査に多くの時間と多大な手間を要するという不都合があった。
【０００５】
本発明は、前述した問題点に鑑みてなされたものであり、その目的は、余剰心線を有効利用することができるとともに、障害が発生した場合には迅速、かつ、容易に障害点を検出することができる光ケーブル接続用クロージャを提供することにある。
【課題を解決するための手段】
【０００６】
前述した目的を達成するために、本発明にかかる光ケーブル接続用クロージャの第1の特徴は、光ファイバ心線を架空で相互接続する光ケーブル収容部を本体内部に装備した光ケーブル接続用クロージャであって、前記本体内部に前記光ファイバ心線を多数心線に分岐する少なくとも２つのスプリッタモジュールを装備し、前記少なくとも２つのスプリッタモジュールは前段で分岐した１系統を次段に出力する構成とし、前記光ケーブル収容部から導出される少なくとも１つの光ファイバ心線は、前記光ケーブル収容部に入力される光ファイバ心線および前記少なくとも２つのスプリッタモジュールを経由するとともに、前記光ファイバ心線と前記各スプリッタモジュールおよび前記スプリッタモジュール相互がコネクタ接続されることをことにある。
【０００７】
このように構成した光ケーブル接続用クロージャにおいては、光ファイバ心線を多数心線に分岐するスプリッタモジュールを少なくとも２つ有し、光ケーブル収容部に入力される少なくとも１ケーブルはこの２つのスプリッタモジュールを直列接続した光伝送路を経由するので、単一の光ケーブル接続用クロージャ内に上位のスプリッタモジュールと下位のスプリッタモジュールを有することになる。この結果、例えば心線が足りない地区への心線の振り向けをこの光ケーブル接続用クロージャ内において容易に行うことができる。
また、スプリッタモジュール相互間および心線と各スプリッタモジュールとの間がコネクタで接続されるので、例えば光伝送路に障害が発生した場合には、上位部分、下位部分に分けてコネクタ接続部を切り離してＯＴＤＲ等の測定器で光伝送路を測定することにより、容易に障害点を検出することができる。
【０００８】
また、本発明にかかる光ケーブル接続用クロージャの第２の特徴は、上記本発明の第１の特徴において、当該光ケーブル接続用クロージャが前記本体内部にトレイ収納ケースを備え、前記スプリッタモジュールは、前記トレイ収納ケースにスライド自在に取り付けられたスプリッタトレイに搭載されていることにある。
【０００９】
このように構成した光ケーブル接続用クロージャにおいては、スプリッタモジュールを収納しているスプリッタトレイがトレイ収納ケースにスライド自在に取り付けられているので、所望のスプリッタモジュールを容易に引き出すことができて作業性の向上を図ることができる。
【００１０】
また、本発明にかかる光ケーブル接続用クロージャの第３の特徴は、上記本発明の第２の特徴において、前記スプリッタモジュールが、前記スプリッタトレイ内の入力側または出力側のいずれかに近接して着脱自在に搭載されていることにある。
【００１１】
このように構成した光ケーブル接続用クロージャにおいては、スプリッタモジュールをスプリッタトレイ内の入力側または出力側に近接したいずれの部位にも取り付けできるので、例えば上位のスプリッタモジュールと下位のスプリッタモジュールとを繋ぐ配線の取り回し状態に合わせて、取付位置を選択できる。
【００１２】
また、本発明にかかる光ケーブル接続用クロージャの第４の特徴は、上記本発明の第２または第3の特徴において、前記スプリッタモジュールが、前記スプリッタトレイの底板に対して回動支点を中心として回動可能に設けられ、前記スプリッタモジュールの回動によって自由端側が前記底板から離間可能に設けられていることにある。
【００１３】
このように構成した光ケーブル接続用クロージャにおいては、スプリッタモジュールが回動支点を中心として回動して自由端側をスプリッタトレイの底板から持ち上げられるので、自由端側を操作面とした場合の作業性を向上させることかできる。
【００１４】
また、本発明にかかる光ケーブル接続用クロージャの第５の特徴は、上記本発明の第４の特徴において、作業者の指等を挿通させて前記スプリッタモジュールを前記底板から離間させるための貫通穴が前記底板に形成されていることにある。
【００１５】
このように構成した光ケーブル接続用クロージャにおいては、作業者は、指等をスプリッタトレイの底板の貫通穴から挿入することにより、スプリッタモジュールの自由端側を容易に持ち上げることができる。
【００１６】
また、本発明にかかる光ケーブル接続用クロージャの第６の特徴は、上記本発明の第４または第５の特徴において、前記スプリッタモジュールには、前記自由端側の端面にケーブル接続されるアダプタが設けられていることにある。
【００１７】
このように構成した光ケーブル接続用クロージャにおいては、回動するスプリッタモジュールの自由端側にアダプタが設けられているので、コネクタの脱着作業を容易に行うことができる。
【発明の効果】
【００１８】
本発明によれば、上位のスプリッタモジュールと下位のスプリッタモジュールを単一の光ケーブル接続用クロージャ内に有するので、ユーザの増減に応じた各地区への心線の振り分けを容易に行うことができる。また、光伝送路に障害が発生した場合には、スプリッタモジュール相互間および心線と各スプリッタモジュールとの間のコネクタ接続部を切り離して通信回線をＯＴＤＲ等の測定器で測定することにより、容易に障害点を検出することができる。
【発明を実施するための最良の形態】
【００１９】
以下、本発明に係る好適な実施の形態を図面に基づいて詳細に説明する。
図１は本発明の光ケーブル接続用クロージャの構成を概念的に示した説明図、図２は心線を別の地区のユーザに回す場合の配線を示す説明図である。なお、前述した図８および図９に示したものと共通する部分には同じ符号を付して重複する説明を省略することとする。
【００２０】
図１に示すように、本発明の一実施形態にかかる光ケーブル接続用クロージャ１０は、光ファイバ心線１１、１５ａ〜１５ｃを架空で相互接続する光ケーブル収容部２０を本体１２内部に装備したものであって、本体１２内部に光ファイバ心線１１を多数心線１５ａ、１５ｂ、１５ｃに分岐する２つの第１および第２のスプリッタモジュール２１、２２を装備する。
【００２１】
本実施形態において、光ケーブル収容部２０から導出される光ファイバ心線１１のうち１つの光ファイバ心線は、第１のスプリッタモジュール２１および第２のスプリッタモジュール２２を直列接続して光ケーブル収容部２０からドロップ心線１５ａ、１５ｂに出力する光伝送路を形成する。
【００２２】
スプリッタモジュール２１、２２相互間および各スプリッタモジュール２１、２２と光ファイバ心線１１、１５ａ〜１５ｃとの間はそれぞれコネクタ１６接続されている。
【００２３】
なお、スプリッタモジュール２１、２２は、内部に後述するスプリッタ２７、２８および不図示の心線余長処理部、並びにコネクタ接続部となるアダプタ３９（図４参照）を装備して構成されるものである。
【００２４】
本実施形態において、光ケーブル接続用クロージャ１０は、内部に４分岐スプリッタ２７および８分岐スプリッタ２８を搭載して構成される。つまり、本実施形態では、第１のスプリッタモジュール２１が４分岐スプリッタ２７を搭載した構成とされ、第２のスプリッタモジュール２２が８分岐スプリッタ２８を搭載した構成とされる。
【００２５】
光ケーブル接続用クロージャ１０は、上記のような構成とすることで、従来例で示したＧＥ−ＰＯＮ局１０３内の４分岐スプリッタ１０４（いずれも図８参照）を省略し、この省略した４分岐スプリッタ１０４に代えて４分岐スプリッタ２７を、８分岐スプリッタ２８と一体に単一のクロージャ１０内に装備した構造とすることができる。
【００２６】
このため、この光ケーブル接続用クロージャ１０は、ＧＥ−ＰＯＮ局１０３（図８参照）とユーザ１０６との間の略中間位置の架空において不図示のメッセンジャワイヤ等の支持線に取り付けられる。
なお、各スプリッタ２７、２８は、コネクタ付き光ファイバカプラや導波路型スプリッタとして構成される。
【００２７】
入力側の光ファイバ心線１１は、融着接続トレイ１７の融着スリーブ１８においてコネクタ付きの光ファイバテープコードであるＦＯ(Fan-Out)コード１９に接続されており、このＦＯコード１９に４分岐スプリッタ２７がコネクタ１６を介して接続されている。同様に、出力側の光ファイバ心線（ドロップ心線）１５ａ、１５ｂ、１５ｃは、融着接続トレイ１７の融着スリーブ１８に接続したＦＯコード１９に接続されており、このＦＯコード１９に８分岐スプリッタ２８がコネクタ１６を介して接続されている。
【００２８】
なお、第１のスプリッタモジュール２１の４分岐スプリッタ２７と第２のスプリッタモジュール２２の８分岐スプリッタ２８とは、１系統が両端にＬＣコネクタを備えたパッチ線１３ａにより直列接続されており、４分岐スプリッタ２７の他の分岐線１３ｂは、ＦＯコード１９によって融着接続トレイ１７の融着スリーブ１８に接続されている。
【００２９】
本実施形態では、光ケーブル接続用クロージャ１０内において、第１のスプリッタモジュール２１は一部が第２のスプリッタモジュール２２に接続されているが、既述したように第１のスプリッタモジュール２１から第２のスプリッタモジュール２２を経由せずに直接ユーザ側へ配線される光伝送路もある。
また、本実施形態では、図１に示すように２個の第１のスプリッタモジュール２１ａ、２２ｂおよび２個の第２のスプリッタモジュール２２ａ、２２ｂを設けた場合を示してあるが、上位および下位のスプリッタモジュール２１、２２は、ともに１個あるいは２個以上設けることができる。
【００３０】
入力側の光ファイバ心線１１は第１のスプリッタモジュール２１で４分岐（図示は２分岐）され、分岐された１光伝送路はさらに第２のスプリッタモジュール２２に接続して８分岐（図示は２分岐）された後、出力側のドロップ心線１５ａ、１５ｂを経由してユーザ１０６に接続される。その際に、図２に示すように、例えば第２のスプリッタモジュール２２ａはその一つをＡ地区のユーザ１０６ａ用として割り当て、他の一つをＢ地区のユーザ１０６ｂ用として割り当てることができる。この場合において、Ａ地区のユーザ１０６ａの数が予定よりも少なくて心線１５ｄが余る一方、Ｂ地区のユーザ１０６ｂの数が多く心線１５ｅ相当の回線が不足する情況を生じた場合は、図２に示すように、Ａ地区用のスプリッタモジュール２２ａの心線１５ｄを光ケーブル接続用クロージャ１０内でコネクタ接続して、Ｂ地区用のスプリッタモジュール２２ｂの心線１５ｅとして割り当て、容易にＢ地区用に振り向けることができる。
【００３１】
また、ＧＥ−ＰＯＮ局１０３とユーザ１０６との間の光伝送路に障害が発生した場合には、光ケーブル接続用クロージャ１０内のコネクタ接続部分を分離することにより、ＧＥ−ＰＯＮ局１０３と光ケーブル接続用クロージャ１０との間の上位部分と、光ケーブル接続用クロージャ１０とユーザ１０６との間の下位部分を区分してＯＴＤＲ等の測定器で測定することにより、容易に障害点を検出することができる。
【００３２】
以上、前述した光ケーブル接続用クロージャ１０によれば、単一の光ケーブル接続用クロージャ１０内に上位のスプリッタモジュール２１と下位のスプリッタモジュール２２を有することになる。このため、例えばＡ地区用に割り当てられたスプリッタモジュール２２ａにおいて回線の余剰が生じ、Ｂ地区用に割り当てられたスプリッタモジュール２２ｂにおいて回線の不足が生じるような情況を生じても、クロージャ１０内においてスプリッタモジュール２１，２２間の接続を変更することにより対応できて、心線を有効に利用することができる。
【００３３】
次に、光ケーブル接続用クロージャ１０の具体例について説明する。
図３（Ａ）は光ケーブル接続用クロージャ内部の正面図、図３（Ｂ）は端面図、図３（Ｃ）は（Ａ）中Ｃ−Ｃ位置の断面図、図３（Ｄ）は平面図、図４（Ａ）はスプリッタトレイの平面図、図４（Ｂ）は正面図、図５は指でスプリッタモジュールを持ち上げた状態を示す斜視図、図６は収納部の配線形態を示す説明図、図７はスプリッタトレイ間の配線図である。なお、前述した図１および図２と共通する部位には同じ符号を付して、重複する説明を省略することとする。
【００３４】
図３に示すように、光ケーブル接続用クロージャ１０は、本体１２が、例えばアルミ合金製の本体フレーム１２ａと、この本体フレーム１２ａを内包して左右（図３（Ｂ）および（Ｃ）において左右）に開く略箱状のプラスチック樹脂製の本体ケース１２ｂとを備えて構成される。
本体フレーム１２ａには、光ケーブル収容部２０を構成する、融着接続トレイ１７および後述するトレイ収納ケース２３が取り付けられており、本体フレーム１２ａは本体ケース１２ｂを一体的に備えて、不図示の支持線に取り付けるための吊り金具３１を前後（図３（Ａ）において左右）に有している。
また、本体ケース１２ｂの前後両端には端面板１２ｃが設けられている。
この端面板１２ｃは、不図示の支持線や光ファイバ心線１１およびドロップ心線１５ａ、１５ｂ、１５ｃを導出入させるための複数の穴を有すると共に、雨や埃等が本体１２内部に侵入するのを防止する。
【００３５】
本体フレーム１２ａには、融着接続トレイ１７が設けられており、その下方にはトレイ収納ケース２３が設けられている。
トレイ収納ケース２３は、最上段の差し込み棚に４分岐スプリッタトレイ２５を引出し自在に収納し、その下段の差し込み棚には８個の８分岐スプリッタトレイ２６を引出し自在に収納する。なお、トレイ収納ケース２３は、ここでは４分岐スプリッタトレイ２５の１段と８分岐スプリッタトレイ２６の８段を、重ね合わせて実装できる棚構造に設けられている。
【００３６】
図４には４分岐スプリッタトレイ２５が示されている。なお、４分岐スプリッタトレイ２５および８分岐スプリッタトレイ２６は、収容するスプリッタによって呼称が変わるのみで、全体形状は同一構造なので、ここでは４分岐スプリッタトレイ２５についてのみ説明し、８分岐スプリッタトレイ２６は関連する部位を、図中に括弧書きで表示することとする。
【００３７】
４分岐スプリッタトレイ２５は、矩形平板状の底板３４と、底板３４の外周縁に沿って立設された側壁部３５とを有しており、底板３４上に第１のスプリッタモジュール２１を収納可能にしている。
４分岐スプリッタトレイ２５は、底板３４の出力側に近接した半分（図４（Ａ）において右側半分）または入力側に近接した半分（図４（Ａ）において左側半分）のいずれの箇所（図４では出力側の半分）にもスプリッタモジュール２１が配置可能であり、スプリッタモジュール２１を配置しない残りの半分のスペースが余剰心線を収容できるようになっている。
【００３８】
４分岐スプリッタトレイ２５は、その両端側に、４分岐スプリッタモジュール２１の端部に形成した係止突起２１ｂを係合させてスプリッタモジュール２１を回動自在に支持できる回動支持部３６を備える。
回動支持部３６は、先の記述からも明らかなように４分岐スプリッタモジュール２１の配置位置に応じて選択的に取り付けできるように、係止突起２１ｂと回動支持部３６は着脱自在にしている。
スプリッタモジュール２１は、回動自在に支持されることにより、その自由端２１ａ側は底板３５から離間可能に支持されることになる。
【００３９】
底板３４には、スプリッタモジュール２１を押し上げて回動するための貫通穴３７が二つ設けられている。貫通穴３７は、底板３４の中心から前後両方向にずれた位置に各々設けられており、スプリッタモジュール２１がスプリッタトレイ２５の前後いずれの側に取り付けられても底板３４の下方から押し上げることができるようになっている。なお、貫通穴３７は、指Ｍ（図５参照）が入る大きさになっており、図５に示すように、道具を用いることなく底板３４の下方から指Ｍを挿入することで、作業者は容易にスプリッタモジュール２１を上方へ回動させることができるようになっている。
【００４０】
スプリッタモジュール２１の自由端２１ａ側の端面には、コネクタ１６接続用のアダプタ３９が配列されている。つまり、スプリッタモジュール２１を回動させて自由端２１ａを底板３４から離間させることにより、コネクタ１６接続を容易にして作業性の向上が図れる。
【００４１】
図６および図７には、上位の４分岐スプリッタ２７を搭載した第１のスプリッタモジュール２１と、４分岐スプリッタ２７に直列接続される下位の８分岐スプリッタ２８を搭載した第２のスプリッタモジュール２２との接続状態が示されている。なお、図７においては、一つのスプリッタモジュール２１に対して一つのスプリッタモジュール２２を接続する場合を示しているが、複数のスプリッタモジュール２２を接続する場合も全く同様である。
【００４２】
まず、入力側の光ケーブルから取り出された光ファイバ心線１１は、この光ファイバ心線１１から分岐された一部心線が融着接続トレイ１７に導入されて入力側のＦＯコード１９に接続（図６中、Ｉで示す）された後、トレイ収納ケース２３の最上段の４分岐スプリッタトレイ２５に引き込まれて第１のスプリッタモジュール２１に接続される（図６中、IIで示す）。すなわち、図７に示すように、入力側のＦＯコード１９のコネクタ１６ａをスプリッタモジュール２１のアダプタ３９に接続することにより、入力側光ファイバ１１はＦＯコード４１を介して４分岐スプリッタ２７（図１参照）に接続される。
【００４３】
次に、パッチ線１３ａの一方のコネクタ１６ｂを第１のスプリッタモジュール２１のアダプタ３９に接続すると共に、他方のコネクタ１６ｃを、下層側に位置する８分岐スプリッタトレイ２６に搭載された第２のスプリッタモジュール２２のアダプタ３９に接続することにより、第１のスプリッタモジュール２１に対し第２のスプリッタモジュール２２を直列接続する（図６中、IIIで示す）。なお、図６においては、一つの第１のスプリッタモジュール２１を２つの第２のスプリッタモジュール２２に接続している場合を示しているが、第２のスプリッタモジュール２２は必要な数だけ接続される。このとき、図７に示すように、パッチ線１３ａは、４分岐スプリッタトレイ２５に形成された導出入口３８を通って下段の８分岐スプリッタトレイ２６へ配線する。
【００４４】
次いで、第２のスプリッタモジュール２２のアダプタ３９に出力側のＦＯコード１９のコネクタ１６ｄを接続した後、ＦＯコード１９の他端を導出入口３９より上方の融着接続トレイ１７に導入（図６中、IVで示す）し、ＦＯコード１９の他端を融着接続トレイ１７内で光ファイバ心線１５ａ、１５ｂ（図１参照）に接続する（図６中、Ｖで示す）。
【００４５】
以上説明したように、スプリッタモジュール２１、２２は、トレイ収納ケース２３にスライド自在に取り付けられたスプリッタトレイ２５、２６に搭載されており、所定のスプリッタトレイ２５、２６をトレイ収納ケース２３から引き出して、スプリッタモジュール２１、２２相互を、回線の過不足情況に応じて容易に接続変更することができる。
また、スプリッタモジュール２１、２２は、スプリッタトレイ２５、２６内の入力側または出力側に近接したいずれの箇所にも取り付けできるので、現場の配線情況に応じてケーブル導入方向を選択して取り付けできる。
また、スプリッタモジュール２１、２２は、アダプタ３９が、容易に持ち上げできる自由端２１ａ、２２ａ側の端面に設けられているので、コネクタの着脱作業を容易に行うことができる。
【００４６】
なお、本発明の光ケーブル接続用クロージャは、前述した実施形態に限定されるものでなく、適宜な変形，改良等が可能である。
例えば、前述した実施形態においては、一つの４分岐スプリッタ２７に、一つまたは複数の８分岐スプリッタ２８を直列に接続する場合について説明したが、この他、例えば一つの４分岐スプリッタ２７に、一つまたは複数の４分岐スプリッタ２７を接続することや、一つの８分岐スプリッタ２８に、一つまたは複数の８分岐スプリッタ２８を接続することも可能である。
【産業上の利用可能性】
【００４７】
以上のように、本発明に係る光ケーブル接続用クロージャは、単一の光ケーブル接続用クロージャ内に上位のスプリッタモジュールと下位のスプリッタモジュールを有するので、ユーザの増減に応じて各地区への心線の振り向けをこの光ケーブル接続用クロージャ内において容易に行うことができる。
また、スプリッタモジュール相互間および心線と各スプリッタモジュールとの間がコネクタで接続されるので、例えば光伝送路に障害が発生した場合には、スプリッタモジュール相互間および心線と各スプリッタモジュールとの間のコネクタ接続部を切り離して光伝送路をＯＴＤＲ等の測定器で測定することにより、容易に障害点を検出することができるという効果を有し、複数の光ファイバ心線を架空で相互接続する光ケーブル接続用クロージャ等として有用である。
【図面の簡単な説明】
【００４８】
【図１】本発明にかかる光ケーブル接続用クロージャの構成を平面的に示した説明図である。
【図２】心線を別の地区のユーザに回す場合の配線を示す説明図である。
【図３】（Ａ）は光ケーブル接続用クロージャの正面図、（Ｂ）および（Ｃ）は左右の端面図、（Ｄ）は平面図である。
【図４】（Ａ）はスプリッタトレイの平面図、（Ｂ）は正面図である。
【図５】指でスプリッタモジュールを持ち上げた状態を示す斜視図である。
【図６】収納部の配線形態を示す説明図である。
【図７】スプリッタトレイの配線図である。
【図８】ＰＯＮネットワークの説明図である。
【図９】スプリッタを収容する従来の光ケーブル接続用クロージャを示す断面図である。
【符号の説明】
【００４９】
１０  光ケーブル接続用クロージャ
１１  光ファイバ心線
１３ａ  パッチ線
１３ｂ  分岐線
１６  コネクタ
２０  光ケーブル収容部
２１  第１のスプリッタモジュール
２２  第２のスプリッタモジュール
２１ａ、２２ａ  自由端
２３  トレイ収納ケース
２５  ４分岐スプリッタトレイ
２６  ８分岐スプリッタトレイ
３４  底板
３６  回動支持部
３７  貫通穴
【図１】
0004653645.tif 000002
【図２】
0004653645.tif 000003
【図３】
0004653645.tif 000004
【図４】
0004653645.tif 000005
【図５】
0004653645.tif 000006
【図６】
0004653645.tif 000007
【図７】
0004653645.tif 000008
【図８】
0004653645.tif 000009
【図９】
0004653645.tif 000010